(57)【要約】  環境光の反射により表示装置の表示品位が低下することを抑制する光制御システムを提供する。本発明の光制御システムは、表示装置が配置された空間の光を制御する光制御システム（５）であって、表示装置と環境光提供部（３０）を備え、環境光提供部（３０）は、第１の波長帯及び第２の波長帯にピーク波長を有する環境光を表示装置へ提供し、表示装置は、環境光を反射する反射部（Ｒｆ）と、反射部（Ｒｆ）よりも視認側に配置され、第１の波長帯及び第２の波長帯の光成分の少なくとも一方を吸収する第１フィルタ（２０）と、を備える。
2019151458.tif 000002
【特許請求の範囲】
【請求項１】
表示装置が配置された空間の光を制御する光制御システムであって、
表示装置と環境光提供部を備え、
前記環境光提供部は、第１の波長帯及び第２の波長帯にピーク波長を有する環境光を前記表示装置へ提供し、
前記表示装置は、
前記環境光を反射する反射部と、
前記反射部よりも視認側に配置され、前記第１の波長帯及び前記第２の波長帯の光成分の少なくとも一方を吸収する第１フィルタと、を備える
光制御システム。
【請求項２】
請求項１に記載の光制御システムであって、
前記第１の波長帯は、赤色の光成分と緑色の光成分の間の波長帯であり、
前記第２の波長帯は、青色の光成分と緑色の光成分の間の波長帯である、
光制御システム。
【請求項３】
請求項１または２に記載の光制御システムであって、
前記環境光提供部は、前記第１の波長帯及び前記第２の波長帯以外の波長帯の光成分を吸収する第２フィルタを備える、
光制御システム。
【請求項４】
請求項３に記載の光制御システムは、
前記環境光提供部は、第１の光源を備え、
前記第２フィルタは、前記第１の光源と前記表示装置との間に配置された、
光制御システム。
【請求項５】
請求項１または２に記載の光制御システムは、
前記環境光提供部は、前記第１の波長帯及び前記第２の波長帯にピーク波長を有する光を前記環境光として出射する第２の光源を備える、
光制御システム。
【請求項６】
請求項１〜５のいずれか１項に記載の光制御システムであって、
前記第１フィルタは、前記第１の波長帯及び前記第２の波長帯の光成分の少なくとも一方を吸収する第１の色素を有する、
光制御システム。
【請求項７】
請求項３または４に記載の光制御システムであって、
前記第２フィルタは、前記第１の波長帯及び前記第２の波長帯以外の波長帯の光成分を吸収する第２の色素を有する、
光制御システム。
【請求項８】
請求項１〜７のいずれか１項に記載の光制御システムであって、
前記表示装置は、前記第１フィルタよりも視認側に、低反射処理が施された低反射処理層を有する、
光制御システム。
【請求項９】
請求項１〜８のいずれか１項に記載の光制御システムであって、
前記反射部は、液晶セル又は透明電極を含む、
光制御システム。
【発明の詳細な説明】
【技術分野】
【０００１】
本発明は、表示装置が配置された空間の光を制御する光制御システムに関する。
【背景技術】
【０００２】
従来、液晶表示パネルにおいて、色域を拡大するために、特定の波長を吸収する光学層を設けた液晶表示パネルが知られている（特許文献１〜３）。
【先行技術文献】
【特許文献】
【０００３】
【特許文献１】日本国特開２００９−２５１５１１号公報
【特許文献２】日本国特開２０１１−２２１４５６号公報
【特許文献３】日本国特開２０１４−１３０２５０号公報
【発明の概要】
【発明が解決しようとする課題】
【０００４】
特許文献１〜３に記載の液晶表示パネルでは、照明光や窓からの外光等の環境光による観察者への視認性の影響が考慮されていない。例えば、液晶表示パネルの表面における反射と、液晶表示パネルの奥におけるＴＦＴ（Thin Film Transistor）基板での反射と、が両方あり得る。液晶表示パネルの表面上の反射は、表面の部材（表面処理、低反射処理）等で抑制され得る。しかし、低反射処理には、高価なコストが必要となる。また、液晶表示パネルの奥まで進行して戻ってくる反射については、液晶表示パネル内に光を吸収するパターン層（主にブラックマトリクス）を含ませることで対策を講じることがあり得る。しかし、このパターン層の吸収パターンは、光利用効率の低下を招き得る。そのため、液晶表示パネルの反射対策として、液晶表示パネルにパターン層を設けたり低反射処理を施したりすることは、汎用性が乏しいのが現状である。したがって、環境光の反射の影響を十分に取り除くことは困難であり、通常の照明光や窓からの外光等の環境光により液晶表示パネルを照らした場合、視認者には、液晶表示パネルからの環境光に基づく反射光の一部が色づいたように見えることがある。よって、液晶表示パネルの表示品位が低下し得る。【０００５】
本発明は、上述事情に鑑みてなされたものであり、環境光の反射により表示装置の表示品位が低下することを抑制できる光制御システムを提供する。
【課題を解決するための手段】
【０００６】
本発明の一態様は、表示装置が配置された空間の光を制御する光制御システムであって、表示装置と環境光提供部を備え、前記環境光提供部は、第１の波長帯及び第２の波長帯にピーク波長を有する環境光を前記表示装置へ提供し、前記表示装置は、前記環境光を反射する反射部と、前記反射部よりも視認側に配置され、前記第１の波長帯及び前記第２の波長帯の光成分の少なくとも一方を吸収する第１フィルタと、を備える光制御システムである。
【発明の効果】
【０００７】
本発明によれば、環境光の反射により表示装置の表示品位が低下することを抑制できる。
【図面の簡単な説明】
【０００８】
【図１】実施形態における光制御システムの第１の構成例を示す図
【図２】光制御システムの第２の構成例を示す図
【図３】他の照明器具を示す図
【図４】液晶ディスプレイの構造の一例を示す断面図
【図５】試験用の光制御システムの概略を示す図
【図６】試験における第１フィルタ及び第２フィルタの透過特性を示すグラフ
【図７】照明器具側の第２フィルタの特性と液晶ディスプレイ側の第２フィルタの特性とを示す概念図
【発明を実施するための形態】
【０００９】
以下、本発明に係る光制御システムの実施形態について、図面を参照して説明する。
【００１０】
（第１構成例）
図１は実施形態における光制御システム５の第１の構成例を示す図である。光制御システム５が設置される家屋３の室内３Ａには、液晶ディスプレイ１０が配置される。また、室内３Ａの壁面には、液晶ディスプレイ１０と対向するように、窓３１が設置されている。このため、液晶ディスプレイ１０の画面に窓３１を通して外光が直接当たる状況が生まれる。また、液晶ディスプレイ１０を見る視認者７は、液晶ディスプレイ１０と窓３１との間に存在する。
【００１１】
本実施形態の光制御システム５は、液晶ディスプレイ１０と、環境光を提供する環境光提供部３０と、を含む構成を有する。液晶ディスプレイ１０は、液晶ディスプレイ１０の表示画面側に第１フィルタ２０を含む。環境光提供部３０は、窓３１と、窓３１の表面に貼り付けられた第２フィルタ４０と、を含む。
【００１２】
窓３１から室内３Ａに入る外光Ｌ１は、窓３１に貼られた第２フィルタ４０を通過することで、特定の波長帯（例えば４９５ｎｍ，５９５ｎｍ）にピーク（極大波長）を有する光（環境光Ｌ２）となる。
【００１３】
第１フィルタ２０は、特定の波長（例えば４９５ｎｍ，５９５ｎｍ）に極大吸収波長を有する第１色素群を含有する。つまり、第１フィルタ２０は、第１色素群により、特定の波長帯（例えば４９５ｎｍ、５９５ｎｍ）の光成分を吸収する。第２フィルタ４０は、特定の波長（例えば４９５ｎｍ，５９５ｎｍ）以外の波長（例えば４４５ｎｍ，５５０ｎｍ，７００ｎｍ）に極大吸収波長を有する第２色素群を含有する。つまり、第２フィルタ４０は、第２色素群により、特定の波長帯（例えば４９５ｎｍ，５９５ｎｍ）以外の波長帯（例えば４４５ｎｍ，５５０ｎｍ，７００ｎｍ）の光成分を吸収する。なお、特定波長に対応する極大吸収波長は、厳密に１つの特定の波長（例えば４９５ｎｍや５９５ｎｍ）に限定されなくてよく、ある程度の波長の幅（波長帯）に含まれる１つの波長であってもよい。色素群（例えば第１色素群、第２色素群）は、１つ以上の色素を含み、１つ以上の波長帯の光成分を吸収する。色素群では、複数の色素のそれぞれが複数の波長帯の光成分のそれぞれを吸収してもよいし、１つの色素が複数の波長帯の光成分をまとめて吸収してもよい。
【００１４】
なお、４９５ｎｍの波長帯は、４９５ｎｍを含む所定の幅を有する波長帯（水色波長帯、例えば４８０ｎｍ〜５１０ｎｍ）でよい。５９５ｎｍの波長帯は、５９５ｎｍを含む所定の幅を有する波長帯（黄色波長帯、例えば５８０ｎｍ〜６１０ｎｍ）でよい。４４５ｎｍの波長帯は、４４５ｎｍを含む所定の幅を有する青色波長帯（例えば３８０ｎｍ〜４８０ｎｍ）でよい。５５０ｎｍの波長帯は、５５０ｎｍを含む所定の幅を有する緑色波長帯（例えば５００ｎｍ〜５８０ｎｍ）でよい。７００ｎｍの波長帯は、７００ｎｍを含む所定の幅を有する赤色波長帯（例えば６００ｎｍ〜７８０ｎｍ）でよい。
【００１５】
第２フィルタ４０は、樹脂に色素が練り込まれて形成されてよい。第２フィルタ４０は、硬いプラスチック樹脂やフィルムに色素が練り込まれて形成されてよい。
【００１６】
第１フィルタ２０、第２フィルタ４０は、光の波長補正や色調補正を行う色補正フィルタとしての機能を有する。第１フィルタ２０は、４９５ｎｍの波長帯の光成分と５９５ｎｍの波長帯の光成分との少なくとも一方又は双方を減衰させてもよい。
【００１７】
（第２構成例）
図２は光制御システム５の第２の構成例を示す図である。光制御システム５が設置される家屋３の室内３Ａには、第１の構成例と同様、液晶ディスプレイ１０が配置される。図２では、環境光提供部３０は、照明器具３５（光源の一例）及び第２フィルタ４０を含む。室内３Ａの天井には、液晶ディスプレイ１０を含む室内３Ａを照らすように、照明器具３５が取り付けられている。例えば、照明器具３５はシーリングライトである。照明器具３５は、シーリングライトに限らず、壁掛けライト、ペンダントライト、デスクスタンド等であってもよい。また、照明器具の光源は、蛍光灯、ＬＥＤ（light emitting diode）、白熱電灯、等でよい。
【００１８】
照明器具３５から発する光を拡散させる光拡散カバー３５ｚの表面には、第２フィルタ４０が貼り付けられる。第２フィルタ４０の光学的特性は、第１構成例と同じでよい。照明器具３５により室内３Ａを照らす照明光は、光拡散カバー３５ｚに貼られた第２フィルタ４０を通過することで、特定の波長帯（例えば４９５ｎｍ，５９５ｎｍ）にピークを有する光（環境光Ｌ３）となる。
【００１９】
（他の照明器具）
図３は他の照明器具３５Ａを示す図である。光制御システム５の構成は第２構成例とほぼ同じである。第２構成例の照明器具３５は、照明器具３５から発した光が第２フィルタ４０を通過することで、特定の波長帯（例えば４９５ｎｍ，５９５ｎｍ）にピークを有する光を環境光Ｌ３としていた。図３では、環境光提供部３０は、他の照明器具３５Ａ（光源の一例）を有し、第２フィルタ４０を有しない。したがって、他の照明器具３５Ａにより室内３Ａを照らす照明光は、第２フィルタ４０を通過させることなく、特定の波長帯（例えば４９５ｎｍ，５９５ｎｍ）にピークを有する光（環境光Ｌ４）となる。
【００２０】
他の照明器具３５Ａは、例えば特定の波長帯（例えば４９５ｎｍ，５９５ｎｍ）の光を発するＬＥＤを光源としてよい。この光源は、４９５ｎｍの波長にピークを有する光を発するＬＥＤと、５９５ｎｍの波長にピークを有する光を発するＬＥＤと、を組み合わせたものでもよい。
【００２１】
図４は液晶ディスプレイ１０の構造の一例を示す断面図である。液晶ディスプレイ１０は、液晶表示パネル１１とバックライト１８とを含む構成を有する。液晶表示パネル１１の表面には、外光を乱反射させる低反射層（低反射処理が施された低反射処理層）１０５が設けられる。バックライト１８は、液晶表示パネル１１を背部から照明する。なお、低反射層１０５が省略されてもよい。
【００２２】
液晶表示パネル１１は、液晶セル１７、ＩＴＯ（Indium Tin Oxide）透明電極１５Ａ，１５Ｂ、ＴＦＴ基板１４、カラーフィルタ１６、ガラス基板１３Ａ，１３Ｂ、及び偏光板１２Ａ，１２Ｂが積層された構造を有する。ＩＴＯ透明電極１５Ａ，１５Ｂは、液晶セル１７を両面から対向するように形成され、印加された電圧で液晶を所定の方向に配向させる。ＴＦＴ基板１４は、ＩＴＯ透明電極１５Ａ，１５Ｂに印加される電圧をオン／オフに駆動する。カラーフィルタ１６は、液晶セル１７を通過する光のうち特定の色（赤色（Ｒ），緑色（Ｇ），青色（Ｂ））の光をセル単位に通過させる。ガラス基板１３Ａ，１３Ｂは、液晶表示パネル１１を保護する。偏光板１２Ａ，１２Ｂは、互いに直交する偏光方向を有し、直線偏光あるいは円偏光した光を通過させる。なお、液晶ディスプレイ１０は、例えば色素が高い偏光機能を有する場合、偏光板１２Ａ，１２Ｂを備えなくてもよい。
【００２３】
第１フィルタ２０は、ガラス基板１３の表面に貼り付けられる偏光板１２Ｂの粘着剤として、ガラス基板１３Ｂと偏光板１２Ｂの間に介在してよい。この粘着剤は、特定の波長帯（例えば４９５ｎｍ、５９５ｎｍ）の光成分を吸収する色素を含有してよい。なお、第１フィルタ２０は、液晶表示パネル１１の視認側（ＴＦＴ基板１４よりも視認側）に設けられていればよく、偏光板１２の表面に貼り付けられる低反射層１０５の粘着剤として、低反射層１０５と偏光板１２Ｂの間に介在してもよい。第１フィルタ２０の組成物については後述する。また、液晶セル１７、ＩＴＯ透明電極１５Ｂ等を含む層は、液晶表示パネル１１の内部に入射した環境光Ｌ２〜Ｌ４を反射させる反射部Ｒｆを形成する。なお、反射部Ｒｆには、ＩＴＯ透明電極１５ＡやＴＦＴ基板１４が含まれてもよい。
【００２４】
次に、第１フィルタ２０と第２フィルタ４０に用いられる粘着剤について説明する。
【００２５】
第１フィルタ２０及び第２フィルタ４０では、母材である粘着剤組成物に特定の波長を吸収する色素が配合されてよい。なお、この粘着剤組成物は、色素なし粘着剤１０８にも使用されてよい。
【００２６】
（粘着剤組成物の具体例）
粘着剤（粘着剤組成物）としては、任意の適切な粘着剤を用いることができる。粘着剤は、好ましくは、透明性および光学的等方性を有する。粘着剤の具体例としては、ゴム系粘着剤、アクリル系粘着剤、シリコーン系粘着剤、エポキシ系粘着剤、セルロース系粘着剤が挙げられる。好ましくは、ゴム系粘着剤またはアクリル系粘着剤である。
【００２７】
ゴム系粘着剤（粘着剤組成物）のゴム系ポリマーは、室温付近の温度域においてゴム弾性を示すポリマーである。好ましいゴム系ポリマー（Ａ）としては、スチレン系熱可塑性エラストマー（Ａ１）、イソブチレン系ポリマー（Ａ２）、およびその組み合わせが挙げられる。
【００２８】
スチレン系熱可塑性エラストマー（Ａ１）としては、例えば、スチレン−エチレン−ブチレン−スチレンブロック共重合体（ＳＥＢＳ）、スチレン−イソプレン−スチレンブロック共重合体（ＳＩＳ）、スチレン−ブタジエン−スチレンブロック共重合体（ＳＢＳ）、スチレン−エチレン−プロピレン−スチレンブロック共重合体（ＳＥＰＳ、ＳＩＳの水添物）、スチレン−エチレン−プロピレンブロック共重合体（ＳＥＰ、スチレン−イソプレンブロック共重合体の水添物）、スチレン−イソブチレン−スチレンブロック共重合体（ＳＩＢＳ）、スチレン−ブタジエンゴム（ＳＢＲ）等のスチレン系ブロックコポリマーを挙げることができる。これらの中でも、分子の両末端にポリスチレンブロックを有し、ポリマーとして高い凝集力を有する点から、スチレン−エチレン−プロピレン−スチレンブロック共重合体（ＳＥＰＳ、ＳＩＳの水添物）、スチレン−エチレン−ブチレン−スチレンブロック共重合体（ＳＥＢＳ）、スチレン−イソブチレン−スチレンブロック共重合体（ＳＩＢＳ）が好ましい。スチレン系熱可塑性エラストマー（Ａ１）として市販品を用いてもよい。市販品の具体例としては、クラレ社製のＳＥＰＴＯＮ、ＨＹＢＲＡＲ、旭化成ケミカルズ社製のタフテック、カネカ社製のＳＩＢＳＴＡＲが挙げられる。
【００２９】
スチレン系熱可塑性エラストマー（Ａ１）の重量平均分子量は、好ましくは５万〜５０万程度であり、より好ましくは５万〜３０万程度であり、さらに好ましくは５万〜２５万程度である。スチレン系熱可塑性エラストマー（Ａ１）の重量平均分子量がこのような範囲であれば、ポリマーの凝集力と粘弾性を両立できるため好ましい。
【００３０】
スチレン系熱可塑性エラストマー（Ａ１）中のスチレン含有量は、好ましくは５重量％〜７０重量％程度であり、より好ましくは５重量％〜４０重量％程度であり、さらに好ましくは１０重量％〜２０重量％程度である。スチレン系熱可塑性エラストマー（Ａ１）中のスチレン含有量がこのような範囲であれば、スチレン部位による凝集力を保ちながら、ソフトセグメントによる粘弾性を確保できるため好ましい。
【００３１】
イソブチレン系ポリマー（Ａ２）としては、イソブチレンを構成単量体として含み、重量平均分子量（Ｍｗ）が好ましくは５０万以上であるものを挙げることができる。イソブチレン系ポリマー（Ａ２）は、イソブチレンのホモポリマー（ポリイソブチレン、ＰＩＢ）であってもよく、イソブチレンを主モノマーとするコポリマー（すなわち、イソブチレンが５０モル％を超える割合で共重合されたコポリマー）であってもよい。このようなコポリマーとしては、例えば、イソブチレンとノルマルブチレンとの共重合体、イソブチレンとイソプレンとの共重合体（例えば、レギュラーブチルゴム、塩素化ブチルゴム、臭素化ブチルゴム、部分架橋ブチルゴム等のブチルゴム類）、これらの加硫物や変性物（例えば、水酸基、カルボキシル基、アミノ基、エポキシ基等の官能基で変性したもの）等を挙げることができる。これらの中でも、主鎖の中に二重結合を含まず耐候性に優れる点から、ポリイソブチレン（ＰＩＢ）が好ましい。イソブチレン系ポリマー（Ａ２）として市販品を用いてもよい。市販品の具体例としては、ＢＡＳＦ社製のＯＰＰＡＮＯＬが挙げられる。
【００３２】
イソブチレン系ポリマー（Ａ２）の重量平均分子量（Ｍｗ）は、好ましくは５０万以上であり、より好ましくは６０万以上であり、さらに好ましくは７０万以上である。また、重量平均分子量（Ｍｗ）の上限は、好ましくは５００万以下であり、より好ましくは３００万以下であり、さらに好ましくは２００万以下である。イソブチレン系ポリマー（Ａ２）の重量平均分子量を５０万以上とすることで、高温保管時の耐久性がより優れる粘着剤組成物とすることができる。
【００３３】
粘着剤（粘着剤組成物）におけるゴム系ポリマー（Ａ）の含有量は、粘着剤組成物の全固形分中、好ましくは３０重量％以上であり、より好ましくは４０重量％以上であり、さらに好ましくは５０重量％以上であり、特に好ましくは６０重量％以上である。ゴム系ポリマーの含有量の上限は、好ましくは９５重量％以下であり、より好ましくは９０重量％以下である。
【００３４】
ゴム系粘着剤において上記のゴム系ポリマー（Ａ）と他のゴム系ポリマーとを組み合わせて用いてもよい。他のゴム系ポリマーの具体例としては、ブチルゴム（ＩＩＲ）、ブタジエンゴム（ＢＲ）、アクリロニトリル−ブタジエンゴム（ＮＢＲ）、ＥＰＲ（二元系エチレン−プロピレンゴム）、ＥＰＴ（三元系エチレン−プロピレンゴム）、アクリルゴム、ウレタンゴム、ポリウレタン系熱可塑性エラストマー；ポリエステル系熱可塑性エラストマー；ポリプロピレンとＥＰＴ（三元系エチレン−プロピレンゴム）とのポリマーブレンド等のブレンド系熱可塑性エラストマーが挙げられる。他のゴム系ポリマーの配合量は、上記ゴム系ポリマー（Ａ）１００重量部に対して好ましくは１０重量部程度以下である。
【００３５】
アクリル系粘着剤（粘着剤組成物）のアクリル系ポリマーは、代表的には、アルキル（メタ）アクリレートを主成分として含有し、目的に応じた共重合成分として、芳香環含有（メタ）アクリレート、アミド基含有モノマー、カルボキシル基含有モノマーおよび／またはヒドロキシル基含有モノマーを含有し得る。本明細書において「（メタ）アクリレート」とは、アクリレートおよび／またはメタクリレートを意味する。アルキル（メタ）アクリレートとしては、直鎖状または分岐鎖状のアルキル基の炭素数１〜１８のものを例示できる。芳香環含有（メタ）アクリレートは、その構造中に芳香環構造を含み、かつ（メタ）アクリロイル基を含む化合物である。芳香環としては、ベンゼン環、ナフタレン環、またはビフェニル環が挙げられる。芳香環含有（メタ）アクリレートは、耐久性（特に、透明導電層に対する耐久性）を満足し、かつ周辺部の白ヌケによる表示ムラを改善することができる。アミド基含有モノマーは、その構造中にアミド基を含み、かつ（メタ）アクリロイル基、ビニル基等の重合性不飽和二重結合を含む化合物である。カルボキシル基含有モノマーは、その構造中にカルボキシル基を含み、かつ（メタ）アクリロイル基、ビニル基等の重合性不飽和二重結合を含む化合物である。ヒドロキシル基含有モノマーは、その構造中にヒドロキシル基を含み、かつ（メタ）アクリロイル基、ビニル基等の重合性不飽和二重結合を含む化合物である。アクリル系粘着剤の詳細は、例えば特開２０１５−１９９９４２号公報に記載されており、当該公報の記載は本明細書に参考として援用される。
【００３６】
一例として、粘着剤組成物は、アクリル系ポリマー溶液の固形分１００部に対し、ベンゾイルパーオキサイド（日本油脂社製の商品名ナイパーＢＭＴ）を０．３部、イソシアネート系架橋剤（東ソー社製の商品名コロネートＬ）を１部、を配合することで得られてよい。アクリル系ポリマー溶液は、次のように調製されてよい。冷却管、窒素導入管、温度計および撹拌装置を備えた反応容器にアクリル酸ブチル１００部、アクリル酸２−ヒドロキシエチル０．０１部、及びアクリル酸５部を含有するモノマー混合物を仕込んでよい。さらに、モノマー混合物１００部に対して、重合開始剤として２，２’−アゾビスイソブチロニトリル０．１部を酢酸エチル１００部と共に仕込み、緩やかに攪拌しながら窒素ガスを導入して窒素置換してよい。その後、フラスコ内の液温を５５℃付近に保って８時間重合反応を行うことで、重量平均分子量（Ｍｗ）１８０万、Ｍｗ／Ｍｎ＝４．１のアクリル系ポリマーの溶液（固形分濃度３０重量％）が調製されてよい。
【００３７】
（色素の具体例）
粘着剤組成物には、色素が配合される。色素の具体例としては、アントラキノン系、トリフェニルメタン系、ナフトキノン系、チオインジゴ系、ペリノン系、ペリレン系、スクアリリウム系、シアニン系、ポルフィリン系、アザポルフィリン系、フタロシアニン系、サブフタロシアニン系、キニザリン系、ポリメチン系、ローダミン系、オキソノール系、キノン系、アゾ系、キサンテン系、アゾメチン系、キナクリドン系、ジオキサジン系、ジケトピロロピロール系、アントラピリドン系、イソインドリノン系、インダンスロン系、インジゴ系、チオインジゴ系、キノフタロン系、キノリン系、トリフェニルメタン系等の染料が挙げられる。
【００３８】
１つの実施形態においては、色素として、アントラキノン系、オキシム系、ナフトキノン系、キニザリン系、オキソノール系、アゾ系、キサンテン系またはフタロシアニン系の染料が用いられる。これらの染料を用いれば、４４０ｎｍ〜５１０ｎｍの範囲の波長帯域に吸収極大波長を有する着色層を形成することができる。
【００３９】
１つの実施形態においては、色素として、上記範囲に吸収極大波長を有する着色層は、例えば、色素として、インジゴ系、ローダミン系、キナクリドン系またはポルフィリン系の染料が用いられる。これらの染料を用いれば、５６０ｎｍ〜６１０ｎｍの範囲の波長帯域に吸収極大波長を有する着色層を形成することができる。
【００４０】
また、上記色素として、顔料を用いてもよい。顔料の具体例としては、例えば、黒色顔料（カーボンブラック、ボーンブラック、グラファイト、鉄黒、チタンブラック等）、アゾ系顔料、フタロシアニン系顔料、多環式顔料（キナクリドン系、ペリレン系、ペリノン系、イソインドリノン系、イソインドリン系、ジオキサジン系、チオインジゴ系、アントラキノン系、キノフタロン系、金属錯体系、ジケトピロロピロール系等）、染料レーキ系顔料、白色・体質顔料（酸化チタン、酸化亜鉛、硫化亜鉛、クレー、タルク、硫酸バリウム、炭酸カルシウム等）、有彩顔料（黄鉛、カドミニウム系、クロムバーミリオン、ニッケルチタン、クロムチタン、黄色酸化鉄、ベンガラ、ジンククロメート、鉛丹、群青、紺青、コバルトブルー、クロムグリーン、酸化クロム、バナジン酸ビスマス等）、光輝材顔料（パール顔料、アルミ顔料、ブロンズ顔料等）、蛍光顔料（硫化亜鉛、硫化ストロンチウム、アルミン酸ストロンチウム等）等が挙げられる。
【００４１】
上記色素の含有割合は、色素の種類、所望の光吸収特性等に応じて、任意の適切な割合とされ得る。上記色素の含有割合は、マトリックス材料１００重量部に対して、例えば、０．０１重量部〜１００重量部であり、より好ましくは０．０１重量部〜５０重量部である。
【００４２】
色素として顔料を用いる場合、マトリックス中の該顔料の数平均粒子径は、好ましくは５００ｎｍ以下であり、より好ましくは１ｎｍ〜１００ｎｍである。このような範囲であれば、ヘイズ値の小さい着色層を形成することができる。顔料の数平均粒子径は、着色層の断面観察により測定・算出される。
【００４３】
（５９５ｎｍに極大吸収波長を有する色素の配合）
一例として、上記粘着剤組成物の調製において、アクリル系ポリマー溶液の固形分１００部に対し、さらに、テトラアザポルフィリン系色素（山本化成社製の商品名ＰＤ−３２０：波長５９５ｎｍに極大吸収波長を有する）０．２５部を配合する。この調整によって、５９５ｎｍに極大吸収波長を有する粘着剤が得られる。
【００４４】
（他の５９５ｎｍに極大吸収波長を有する色素の配合）
一例として、上記粘着剤組成物の調製において、アクリル系ポリマー溶液の固形分１００部に対し、さらに、ポルフィリン系色素（山本化成社製の商品名ＰＤ−３２０：波長５９５ｎｍに極大吸収波長を有する）０．２５部を配合してもよい。この調整によって、５９５ｎｍに極大吸収波長を有する粘着剤が得られる。
【００４５】
（４９５ｎｍに極大吸収波長を有する色素の配合）
一例として、上記粘着剤組成物の調製において、アクリル系ポリマー溶液の固形分１００部に対し、さらに、シアニン系色素（山田化学社製の商品名ＦＤＢ−００８：波長４９５ｎｍに極大吸収波長を有する）０．２５部を配合する。この調整によって、４９５ｎｍに極大吸収波長を有する粘着剤が得られる。
【００４６】
なお、４９５ｎｍに極大波長を有する色素と５９５ｎｍに極大吸収波長を有する色素とが、１つの粘着剤組成物に配合されてよい。
【００４７】
また、第２フィルタ４０を形成する粘着剤の１つは、青色の最大吸収波長４４５ｎｍを有する色素（山田化学社製のＦＤＢ−００４）（青色吸収色素ともいう）を、上記粘着剤組成物に配合したものでよい。第２フィルタ４０を形成する粘着剤の１つは、緑色の最大吸収波長５５０ｎｍを有する色素（山田化学社製のＨＳＲ−００２）（緑色吸収色素ともいう）を、上記粘着剤組成物に配合したものでよい。第２フィルタ４０を形成する粘着剤の１つは、赤色の最大吸収波長７００ｎｍを有する色素（山田化学社製のＦＤＲ−０２９）（赤色吸収色素ともいう）を、上記粘着剤組成物に配合した粘着剤を積層してもよい。
【００４８】
なお、４４５ｎｍに極大波長を有する色素と５５０ｎｍに極大吸収波長を有する色素と７００ｎｍに極大波長を有する色素とが、１つの粘着剤組成物に配合されてよい。
【００４９】
次に、第１フィルタ２０及び第２フィルタ４０の性能試験について説明する。
【００５０】
図５は第１フィルタ２０及び第２フィルタ４０の性能を調べるために設けられた試験用の光制御システム１００の概略を示す図である。試験用の光制御システム１００は、光源１０１と、第２フィルタ４０と、反射板１３０と、第１フィルタ２０と、低反射層（ＡＲＣ：Anti Reflection Coat）１０５と、を有する。光源１０１及び第２フィルタ４０は環境光提供部３０側であることを想定している。反射板１３０、第１フィルタ２０、及び低反射層１０５は、液晶ディスプレイ１０側であることを想定している。
【００５１】
光源１０１は、例えば、自然光に近い光を発する白熱電球や、先述の照明器具３５でよく、照明光を発する。第２フィルタ４０は、光源１０１と反射板１３０の間に配置される。第２フィルタ４０は、４９５ｎｍの波長帯と５９５ｎｍの波長帯を除く光成分を吸収する第２色素群を混ぜて成形された透明フィルムでよい。つまり、光源１１０と第２フィルタ４０とは、特定の波長帯（例えば４９５ｎｍ，５９５ｎｍ）にピークを有する環境光を、反射板１０３へ向けて提供する。
【００５２】
図５では、第２フィルタ４０は、３種類の色素のうち２種類の色素を含有する粘着剤を積層した粘着剤層として、フィルム状に成形される。この粘着剤層は、青色の波長帯の光成分を吸収する色素を有する層（青色波長吸収層）と、赤色の波長帯の光成分を吸収する色素を有する層（赤色波長吸収層）と、を含む。第２フィルタ４０は、青色波長吸収層と赤色波長吸収層を各２層有し、全４層有してよい。それぞれの色の波長吸収層の厚さは、いずれも、３〜３０μｍ程度が好適である。第２フィルタ４０において、２つの青色波長吸収層と２つの赤色波長吸収層の積層の順序は任意である。また、４つの層はいずれも同じ材料の粘着剤であるので、各層同士の界面において反射が発生しない。
【００５３】
第２フィルタ４０を形成する粘着剤の１つは、青色吸収色素を上記粘着剤組成物に配合したものでよい。他の１つの粘着剤は、緑色吸収色素を上記粘着剤組成物に配合したものでよい。
【００５４】
第２フィルタ４０は、青色吸収色素を含む粘着剤層を１０μｍ、緑色吸収色素を含む粘着剤層を２０μｍをそれぞれ２層ずつ重ねて４層構造とされ、厚さ６０μｍを有する。なお、第２フィルタ４０は、更に、赤色吸収色素を上記粘着剤組成物に配合した粘着剤を積層してもよい。
【００５５】
反射板１３０は、平坦に形成された表面を有し、乱反射させることなく入射する光を反射する板材である。反射板１３０は、液晶表示パネル１１の内部の反射部Ｒｆとしての液晶セル１７、ＩＴＯ透明電極１５Ａ、１５Ｂ、ＴＦＴ基板１４、等を想定している。
【００５６】
反射板１３０の表面には、試験対象である第１フィルタ２０、及び第１フィルタ２０を介して低反射層（ＡＲＣ：Anti Reflection Coat）１０５が設けられる。ここでは、第１フィルタ２０は、４９５ｎｍの波長帯の光と５９５ｎｍの波長帯の光とを吸収する第１色素群を混入した粘着剤でよい。第１色素群は、１つの色素により４９５ｎｍの波長帯の光成分と５９５ｎｍの波長帯の光成分とを吸収してもよいし、２つの色素により４９５ｎｍの波長帯の光成分と５９５ｎｍの波長帯の光成分とを吸収してもよい。低反射層１０５は、入射光を乱反射させるように、拡散透過率の割合を示すヘイズ値の大きい透明フィルムでよい。低反射層１０５は、粘着剤である第１フィルタ２０を介在させて反射板１３０に接着されてよい。なお、粘着剤のヘイズ値は、光学用であるので、比較的小さくよく、低反射層１０５のヘイズ値より小さくてよい。
【００５７】
また、第１フィルタ２０の性能と比較するために、反射板１３０の表面には、色素なし粘着剤１０８を介して低反射層１０５が設けられる。色素なし粘着剤１０８は、特定の波長（例えば４９５ｎｍ，５９５ｎｍ）の光を吸収する第１色素群を含有しない粘着剤である。
【００５８】
試験用の光制御システム１００では、光源１０１から発した照明光は、第２フィルタ４０を透過すると、４９５ｎｍの波長帯（青色と緑色の間のおよそ水色の波長帯）と５９５ｎｍの波長帯（緑色と赤色の間のおよそ黄色の波長帯）を除く光成分、つまり青色の波長帯、緑色の波長帯及び赤色の波長帯の光成分が吸収される。
【００５９】
第２フィルタ４０を透過した、４９５ｎｍの波長帯と５９５ｎｍの波長帯の光成分を有する光は、低反射層１０５に入射して一部が散乱や反射をされ、第１フィルタ２０に入射する。第１フィルタ２０に入射した、４９５ｎｍの波長帯と５９５ｎｍの波長帯の光成分を有する光は、４９５ｎｍの波長帯と５９５ｎｍの波長帯の光を吸収する第１フィルタ２０によって、その光の多くが吸収される。
【００６０】
第１フィルタ２０に吸収されなかった残光は、さらに反射板１３０に例えば略垂直方向に入射し、反射板１３０で反射される。この反射光は、さらに、第１フィルタ２０に入射し、第１フィルタ２０によって再度、４９５ｎｍの波長帯と５９５ｎｍの波長帯の光成分が吸収される。したがって、第１フィルタ２０を通過した反射光は、ほぼ吸収され、消失する。したがって、視認者７が光源１０１と反射板１３０との間に位置する場合、視認者７の眼には、光源１０１から出射され反射された光（環境光Ｌ２〜Ｌ４に相当）がほぼ届かなくなる。
【００６１】
つまり、光制御システム５を模した試験用の光制御システム１００は、光源１０１から出射した光が視認者７に到達することを抑制できる。したがって、光制御システム５は、提供された環境光Ｌ２〜Ｌ４が反射部Ｒｆを含む液晶ディスプレイ１０により反射された光が視認者７に到達することを抑制できる。
【００６２】
また、反射板１３０として想定される液晶セル１７や透明電極１５Ｂは、液晶表示パネル１１内の部品として含まれる。この場合、第１フィルタ２０は、バックライト１８からの液晶セル１７を通過する表示光に対しても、４９５ｎｍの波長帯と５９５ｎｍの波長帯の光成分が減衰する。そのため、青色、緑色、赤色（原色）の色純度が高まり、色域が拡がり、色再現性が高まる。これにより、各色の表示品質を向上できる。
【００６３】
一方、比較例である、色素なし粘着剤１０８を介して低反射層１０５が設けられた反射板１３０の表面においても、第２フィルタ４０を透過した４９５ｎｍの波長帯と５９５ｎｍの波長帯の光成分を有する光は、低反射層１０５に入射して一部が散乱され、色素なし粘着剤１０８に入射する。色素なし粘着剤１０８では、４９５ｎｍの波長帯と５９５ｎｍの波長帯の光成分を有する光は、色素が不在であるので吸収されない。吸収されないまま、４９５ｎｍの波長帯と５９５ｎｍの波長帯の光成分を有する光は、反射板１３０で反射され、再度、色素なし粘着剤１０８及び低反射層１０５を通過する。したがって、視認者７が光源１０１と反射板１３０との間に位置する場合、視認者７の眼には、光源１０１から出射され反射された光（環境光Ｌ２〜Ｌ４に相当）のうち、４９５ｎｍの波長帯との５９５ｎｍ波長帯の光成分を有する光が届くようになる。この光により、視認者７の眼には、反射板１３０が色付いたように見え、液晶ディスプレイ１０による表示の視認性が低下する。
【００６４】
また、反射板１３０として想定される液晶セル１７や透明電極１５Ｂは、液晶表示パネル１１内の部品として含まれる。この場合、第１フィルタ２０は、バックライト１８からの液晶セル１７を通過する表示光に対しても、４９５ｎｍの波長帯と５９５ｎｍの波長帯の光成分が減衰しないので、青色、緑色、赤色（原色）の色純度が低くなり、色域が狭くなり、色再現性が低下する。そのため、各色の表示品質が低下する。
【００６５】
試験用の光制御システム１００を用いた試験の結果、以下のことが言える。
【００６６】
つまり、反射板１３０の表面に色素なし粘着剤１０８を設けた場合、４９５ｎｍの波長帯と５９５ｎｍの波長帯の光成分を有する光が吸収されない。そのため、反射板１３０により反射された光の多くが視認者７の眼に到達するので、色域が狭くなる。よって、液晶表示パネル１１の色再現性が低下することが理解できる。
【００６７】
一方、反射板１３０の表面に第１フィルタ２０を設けた場合、４９５ｎｍの波長帯と５９５ｎｍの波長帯の光成分を有する光が吸収される。そのため、反射板１３０により反射された光はほとんど視認者７の眼に到達しないので、色域が拡がる。よって、液晶表示パネル１１の色再現性が向上することが理解できる。
【００６８】
図６は、試験の結果得られた第１フィルタ２０及び第２フィルタ４０の透過特性を示すグラフである。第２フィルタ４０の透過特性を示すグラフｇ２では、４９５ｎｍの波長帯の光成分及び５９５ｎｍの波長帯の光成分の透過率が高い。また、赤色の波長帯を有する光の透過率も高い。一方、第１フィルタ２０の透過特性を示すグラフｇ１では、４９５ｎｍの波長帯と５９５ｎｍの波長帯を除く光成分の透過率が高い。
【００６９】
図６に示すように、第１フィルタ２０は、色域や色味に関連性が低い光成分を減衰させる。例えば、第１フィルタ２０は、水色の光成分（４９５ｎｍの波長帯の光成分）を減衰させる。第１フィルタ２０は、黄色の光成分（５９５ｎｍの波長帯の光成分）を減衰させる。そして、液晶表示パネル１１が発する光は、第１フィルタ２０において青色成分、緑色成分、及び赤色成分が減衰せずに透過可能である。よって、光制御システム５は、第１フィルタ２０を備えることで、環境光Ｌ２〜Ｌ４の反射を抑制しつつ、表示画像を鮮明化できる。
【００７０】
また、第２フィルタ４０は、第１フィルタ２０では減衰されない光成分を減衰させる。例えば、第２フィルタ４０は、青色、緑色、赤色の光成分を減衰させる。これにより、光制御システム５は、第１フィルタ２０と第２フィルタ４０との組み合わせにより、第２フィルタ４０を通過した環境光Ｌ２〜Ｌ４のほとんどが第１フィルタ２０により減衰されるので、第１フィルタ２０での環境光Ｌ２〜Ｌ４の反射がほとんど発生しない。よって、視認者７に環境光Ｌ２〜Ｌ４の反射光がほとんど到達せず、光制御システム５は、液晶ディスプレイ１０により表示された表示画像の視認性の低下を抑制できる。
【００７１】
図７は、光制御システム５において、照明器具３５側の第２フィルタの特性と液晶ディスプレイ側の第２フィルタの特性とを示す概念図である。
【００７２】
グラフｓｐ２に示すように、第２フィルタ４０は、４９５ｎｍの波長帯と５９５ｎｍの波長帯を除く光成分を吸収する。したがって、環境光Ｌ３は、４９５ｎｍの波長帯と５９５ｎｍの波長帯の光成分を有する光となり、液晶ディスプレイ１０を照らす。
【００７３】
グラフｓｐ１に示すように、第１フィルタ２０は、４９５ｎｍの波長帯と５９５ｎｍの波長帯の光成分を吸収する。したがって、第１フィルタ２０を介して液晶ディスプレイ１０から出射される光は、青色の波長帯、緑色の波長帯及び赤色の波長帯の光となり、視認者７に向かう。また、第１フィルタ２０は、環境光Ｌ３としての４９５ｎｍ波長帯と５９５ｎｍ波長帯の光成分を吸収する。したがって、環境光Ｌ３は第１フィルタ２０により反射されず、液晶ディスプレイ１０を視認する視認者７には環境光Ｌ３は反射光としては届かない。
【００７４】
よって、液晶ディスプレイ１０が画像を表示する表示光を出射していない場合（例えば黒色を表示している場合）、液晶ディスプレイ１０は、照明器具３５からの環境光Ｌ３が第１フィルタ２０により遮られるので、限りなく黒に近くなる。つまり、液晶ディスプレイ１０は、黒色の色再現性が向上できる。
【００７５】
また、液晶ディスプレイ１０が画像を表示する表示光を出射している場合（例えば黒色以外を表示している場合）、液晶ディスプレイ１０は、第１フィルタ２０により４９５ｎｍ波長帯と５９５ｎｍ波長帯の光成分を減衰させることで、青色や緑色や赤色の色純度が高まって色域が拡がり、鮮やかな画像を再現できる。つまり、液晶ディスプレイ１０は、黒色以外の色再現性も向上できる。
【００７６】
次に、第１フィルタが含有する第１色素群と第２フィルタが含有する第２色素群との組み合わせのパターンと、そのパターンにより得られる液晶ディスプレイの特性について説明する。各パターンにおける液晶ディスプレイの構成は、第１フィルタ及び第２フィルタに含有される色素が異なるが、色素以外の構成は同じである。
【００７７】
液晶ディスプレイの特性は、例えば、反射率、色相ｘ、色相ｙ、△ｘｙ、輝度、を含んでよい。反射率は、液晶ディスプレイの反射率、つまり液晶ディスプレイに入射される環境光に対する液晶ディスプレイから出射される環境光の割合を示してよい。色相ｘは、ＸＹＺ表色系におけるＸの値である。色相ｙは、ＸＹＺ表色系におけるＹの値である。△ｘｙは、色相ｘ，ｙの座標と標準光源Ｄ６５の白色点の座標｛（ｘ，ｙ）＝（０．３１２７，０．３２９０）｝との距離である。輝度は、液晶ディスプレイの輝度であり、つまり液晶ディスプレイが発する光の輝度である。
【００７８】
ここでは、第１色素群と第２色素群との組み合わせの各パターンを、実施例１並びに比較例１及び比較例２として、反射率、△ｘｙ、及び輝度の評価を行った。なお、比較例２では、反射率及び△ｘｙは行われていない。
【００７９】
＜実施例１＞
実施例１では、第１色素群は、波長４９５ｎｍに極大吸収波長を有する色素（山田化学社製の商品名ＦＤＢ−００７）と、波長５９５ｎｍに極大吸収波長を有する色素（山田化学社製の商品名ＦＤＧ−００７）と、を含む。第２色素群は、波長４４５ｎｍに極大吸収波長を有する色素（山田化学社製の商品名ＦＤＢ−００４）と、波長５５０ｎｍに極大吸収波長を有する色素（山田化学社製の商品名ＨＳＲ−００２）と、波長７００ｎｍに極大吸収波長を有する色素（山田化学社製の商品名ＦＤＲ−０２９）と、を含む。
【００８０】
実施例１では、反射率は、８．２４％である。色相ｘは、０．３０４６である。色相ｙは、０．３３４４である。△ｘｙは、０．０１０である。輝度は、６０％である。ここでの輝度は、液晶ディスプレイ１０に第１色素群（４９５、５９５ｎｍの吸収）が適用されていない場合の輝度を１００として示した相対値である。
【００８１】
＜比較例１＞
比較例１では、第１色素群は、波長４９５ｎｍに極大吸収波長を有する色素（山田化学社製の商品名ＦＤＢ−００７）と、波長５９５ｎｍに極大吸収波長を有する色素（山田化学社製の商品名ＦＤＧ−００７）と、を含む。つまり、第１色素群は、実施例１と同じである。一方、第２色素群は不在である。つまり、第２フィルタは、第２色素群を含有しない。
【００８２】
比較例１では、反射率は、１０．５１％である。色相ｘは、０．３１２７である。色相ｙは、０．３０２３である。△ｘｙは、０．０２７である。輝度は、６０％である。
【００８３】
＜比較例２＞
比較例２では、第１色素群は、波長４９５ｎｍに極大吸収波長を有する色素（山田化学社製の商品名ＦＤＢ−００７）と、波長５９５ｎｍに極大吸収波長を有する色素（山田化学社製の商品名ＦＤＧ−００７）と、を含む。また、第１色素群は、波長４４５ｎｍに極大吸収波長を有する色素（山田化学社製の商品名ＦＤＢ−００４）と、波長５５０ｎｍに極大吸収波長を有する色素（山田化学社製の商品名ＨＳＲ−００２）と、波長７００ｎｍに極大吸収波長を有する色素（山田化学社製の商品名ＦＤＲ−０２９）と、を含む。一方、第２色素群は不在である。つまり、第２フィルタは、第２色素群を含有しない。
【００８４】
比較例２では、輝度は、２０％である。
【００８５】
実施例１、比較例１、及び比較例２における反射率、△ｘｙ、及び輝度の評価結果を、表１にまとめて示す。
【表１】
2019151458.tif 000003
【００８６】
実施例１及び比較例１を比較すると、比較例１の反射率よりも実施例１の反射率が小さい。したがって、実施例１では、液晶ディスプレイ１０に到来する環境光Ｌ２〜Ｌ４の反射が小さく、視認者７に対して環境光が到達する光量が小さい。したがって、光制御システム５は、環境光Ｌ２〜Ｌ４の反射により液晶ディスプレイ１０により表示される画像が水色がかって見えたり黄みがかって見えたりすることを抑制できる。また、比較例１の△ｘｙよりも実施例１の△ｘｙが小さい。したがって、実施例１では、光制御システム５は、液晶ディスプレイ１０へ環境光Ｌ２〜Ｌ４を提供しながら、基準となる白色点からの距離を小さくして白色を表示でき、環境光Ｌ２〜Ｌ４が色再現性に影響することを抑制できる。
【００８７】
実施例１、比較例１及び比較例２を比較すると、比較例２の輝度が実施例１及び比較例１の輝度よりも低い。これは、比較例２では、実施例１及び比較例１よりも多くの光成分を吸収する色素が粘着剤等に配合されているので、吸収される光成分が多いためである。また、実施例１及び比較例１を比較すると、第２フィルタが第２色素群を含有しても含有しなくても、液晶ディスプレイ１０の輝度に影響を与えないことが理解できる。つまり、第２フィルタが第２色素群を含有しても含有しなくても、液晶セル１７が発する光の光強度が低下しない。よって、光制御システム５は、第２フィルタ４０に第２色素群を含有することで、液晶ディスプレイ１０の輝度を維持しつつ、色域の拡大や色再現性の向上を図ることができる。
【００８８】
このように、本実施形態の光制御システム５は、第１フィルタ２０及び第２フィルタ４０により、環境光Ｌ２〜Ｌ４の光成分のほとんどを減衰させる。よって、液晶セル１７が発する表示光により表示画像が表現され、この表示光が視認者７の眼に届く。したがって、例えば室内３Ａに設置された液晶ディスプレイ１０に入射する環境光Ｌ２〜Ｌ４により表示画像の視認性が低下することを抑制できる。
【００８９】
また、ＯＬＥＤ（Organic LED）、量子ドット、マイクロＬＥＤ、等を用いた表示装置は、色域が広く、表示画像の画質が鮮明であるが、表示装置のコストが高い。これに対し、光制御システム５は、第１フィルタ２０及び第２フィルタを備えることで、色域が広く、表示画像の画質を鮮明にできる。また、光制御システム５は、表示装置としての液晶ディスプレイ１０に要するコストを低減し、容易に液晶ディスプレイ１０を設けることができる。
【００９０】
また、液晶ディスプレイ１０における視認側（ＴＦＴ基板１４よりも視認側）の偏光板１２Ｂを粘着するための粘着剤層としての第１フィルタ２０に第１色素群を含有させることで、色域を拡大できる。しかし、環境光提供側から提供される環境光Ｌ２〜Ｌ４の光成分が工夫されないと、環境光Ｌ２〜Ｌ４がパネル基板等の反射部Ｒｆにより反射することで視認性が備われ、且つ、色の再現性が低下する。そこで、光制御システム５は、環境光提供側に特定の波長を吸収する部材として第２色素群を含有する第２フィルタ４０を設ける。即ち、光制御システム５は、環境光波長補正フィルタ（例えば第２フィルタ４０）と、表示装置用色補正フィルタ（例えば第１フィルタ２０）と、を備える。これにより、環境光提供部３０側と液晶ディスプレイ１０側とを組み合わせた空間を想定すると、光制御システム５は、視認者７にとって視認性が良く、色相に優れた表示画像を提供できる。
【００９１】
以上のように、本実施形態の光制御システム５は、液晶ディスプレイ１０が設置された家屋３の室内３Ａの光を制御する。光制御システム５は、液晶ディスプレイ１０と、環境光提供部３０と、を備える。環境光提供部３０は、第１の波長帯及び第２の波長帯にピーク波長を有する環境光Ｌ２〜Ｌ４を、液晶ディスプレイ１０へ提供する。液晶ディスプレイ１０は、その内部に入射した環境光Ｌ２〜Ｌ４を反射する反射部Ｒｆと、反射部Ｒｆよりも視認側に配置され、第１の波長帯及び第２の波長帯の光成分の少なくとも一方を吸収する第１フィルタ２０と、を備える。液晶ディスプレイ１０は、表示装置の一例である。設置は配置の一例である。室内は空間の一例である。
【００９２】
この光制御システム５では、第１フィルタ２０は、第１フィルタ２０よりも視認側に存在する環境光Ｌ２〜Ｌ４及び第１フィルタ２０よりも背面側に存在する液晶セル１７が発した光のいずれについても、第１の波長帯及び第２の波長帯（例えば色の再現性を低下させる波長帯）の光成分を吸収する。これにより、光制御システム５は、液晶セル１７が発する光の色の再現性の低下を抑制しながら、反射部Ｒｆ（例えば液晶セル１７、ＩＴＯ透明電極１５Ｂ）における環境光Ｌ２〜Ｌ４の反射による視認性の低下を抑制できる。また、液晶ディスプレイ１０に入射する環境光Ｌ２〜Ｌ４は、第１の波長帯及び第２の波長帯にピーク波長を有する光であるので、第１フィルタ２０で第１の波長帯及び第２の波長帯の光成分の吸収を加味すると、反射部Ｒｆにおける環境光Ｌ２〜Ｌ４の反射を限りなく値０に近づけることができる。よって、例えば液晶セル１７が光を発しない場合、第１の波長帯及び第２の波長帯の光強度が小さく、環境光Ｌ２〜Ｌ４に、第１の波長帯及び第２の波長帯以外の光成分があまり含まれない。したがって、液晶ディスプレイ１０に表示される黒色の表示品質を高くできる。同様に、例えば液晶セル１７が光を発する場合も、液晶セル１７からの第１の波長帯及び第２の波長帯の光強度が第１フィルタ２０により吸収され、環境光Ｌ２〜Ｌ４に第１の波長帯及び第２の波長帯以外の光成分があまり含まれないので、各色の表示品質を高くできる。このように、環境光Ｌ２〜Ｌ４の反射により液晶ディスプレイ１０の表示品位が低下することを抑制できる。また、環境光Ｌ２〜Ｌ４は、円偏光を有する光を含むが、光制御システム５は、円偏光板を設けて円偏光を有する光をカットすることなく、環境光Ｌ２〜Ｌ４をカットできる。したがって、光制御システム５は、偏光板を省くことができ、部品点数を削減でき、コストを低減できる。
【００９３】
第１の波長帯は、赤色の光成分と緑色の光成分の間の波長帯（例えば５９５ｎｍの波長帯）でよい。第２の波長帯は、青色の光成分と緑色の光成分の間の波長帯（例えば４９５ｎｍの波長帯）でよい。
【００９４】
これにより、第２フィルタ４０は、視認者７が液晶ディスプレイ１０による表示を視認した際に、視認性の低下の要因となる例えば４９５ｎｍ付近の光成分（およそ水色成分）と例えば５９５ｎｍ付近の光成分（およそ黄色成分）との少なくとも一方を吸収できる。これにより、光制御システム５は、青色、緑色、赤色、の各色成分をより鮮明に再現でき、視認者７による液晶ディスプレイ１０による表示の視認性を向上できる。
【００９５】
環境光提供部３０は、第１の波長帯及び第２の波長帯以外の波長帯の光成分を吸収する第２フィルタ４０を備えてよい。
【００９６】
これにより、光制御システム５は、第２フィルタ４０が第１の波長帯及び第２の波長帯以外の波長帯の光成分を吸収するので、第１の波長帯及び第２の波長帯にピーク波長を有する環境光Ｌ２，Ｌ３を、液晶ディスプレイ１０に提供できる。
【００９７】
環境光提供部３０は、照明器具３５を備える。第２フィルタ４０は、照明器具３５と液晶ディスプレイ１０との間に配置されてよい。照明器具３５は、第１の光源の一例である。
【００９８】
これにより、光制御システム５は、環境光Ｌ３を積極的に発することができ、外光の少ない室内３Ａにおいても、色の再現性を高くできる。また、環境光提供部３０は、一般的な光源を採用して、特定の波長特性を有する環境光Ｌ３を投射できる。したがって、安価な照明器具３５を用いて環境光提供部３０を構成できる。
【００９９】
光制御システム５は、第１の波長帯及び第２の波長帯にピーク波長を有する環境光Ｌ４を提供する照明器具３５Ａを備えてよい。照明器具３５Ａは、第２の光源の一例である。
【０１００】
これにより、光制御システム５は、環境光Ｌ４を積極的に発することができる。また、照明器具３５Ａは、第１の波長帯及び第２の波長帯にピーク波長を有する環境光Ｌ４を自ら出射するので、第１の波長帯及び第２の波長帯以外の第３の波長帯（例えば青色、緑色、赤色の波長帯）の光成分を減衰させる第２フィルタ４０が不要となる。
【０１０１】
第１フィルタ２０は、第１の波長帯及び第２の波長帯の光成分の少なくとも一方を吸収する第１の色素を有してよい。第１の色素は、例えば第１色素群でよい。
【０１０２】
これにより、光制御システム５は、第１の波長帯及び第２の波長帯の光成分の少なくとも一方を吸収可能な第１フィルタ２０を容易に設けることができる。
【０１０３】
第２フィルタ４０は、第１の波長帯及び第２の波長帯以外の波長帯の光成分を吸収する第２の色素を有してよい。第２の色素は、例えば第２色素群でよい。
【０１０４】
これにより、光制御システム５は、第１の波長帯及び第２の波長帯以外の波長帯の光成分を吸収可能な第２フィルタ４０を容易に設けることができる。
【０１０５】
また、液晶ディスプレイ１０は、第１フィルタ２０よりも視認側に、低反射層１０５を有してよい。低反射層１０５は、低反射処理が施された低反射処理層の一例である。
【０１０６】
これにより、光制御システム５は、環境光Ｌ２〜Ｌ４が反射部Ｒｆで反射されることによる色の再現性の低下を抑制できるとともに、液晶ディスプレイ１０の表面で環境光Ｌ２〜Ｌ４が反射することによる色の再現性の低下を抑制できる。よって、光制御システム５は、液晶ディスプレイ１０による表示画像の視認性を一層向上できる。
【０１０７】
また、反射部Ｒｆは、液晶セル１７又はＩＴＯ透明電極１５Ｂを含んでよい。ＩＴＯ透明電極１５Ｂは、透明電極の一例である。
【０１０８】
これにより、液晶ディスプレイ１０の内部において特に光の反射が多い液晶セル１７又はＩＴＯ透明電極１５Ｂによる第１の波長帯及び第２の波長帯の光成分の反射を抑制し、液晶セル１７が発する光による表示の視認性を向上できる。
【０１０９】
以上、図面を参照しながら実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１１０】
上記実施形態では、第１フィルタ２０は、液晶ディスプレイ１０の一部を構成する部材であったが、液晶ディスプレイ１０とは別体の装置として構成されてもよい。この場合、第１フィルタ２０は、液晶ディスプレイ１０の前面に配置されることで、上記同様の効果が得られる。
【０１１１】
上記実施形態では、第２フィルタ４０は、窓３１あるいは照明器具３５の表面に貼られたが、窓３１あるいは照明器具３５とは別体の装置として構成されてもよい。この場合、第２フィルタ４０は、例えば窓３１あるいは照明器具３５の前面に配置されることで、上記同様の効果が得られる。
【０１１２】
上記実施形態では、光制御システム５は、家屋３の室内３Ａに設置される場合を示したが、駅の構内等に設置されるデジタルサイネージや自動販売機、また銀行のＡＴＭ等、屋外に設置されてもよい。これにより、様々な光成分が混在する屋外においても、環境光Ｌ２〜Ｌ４の反射により液晶ディスプレイ１０の表示品位が低下することを抑制できる。
【０１１３】
上記実施形態では、光源として、照明器具３５，３５Ａの代わりに、スポットライトのように指向性の強い光源を用いてもよい。この場合でも、光制御システム５は、スポットライトにより提供される環境光を、第１フィルタ２０及び第２フィルタ４０により抑制可能である。
【０１１４】
上記実施形態では、第１フィルタ２０は、４９５ｎｍ波長帯、５９５ｎｍ波長帯の２つの波長帯を減衰させるフィルタであることを想定したが、１つの波長帯を減衰させたり、３つの波長帯を減衰させたりするフィルタであってもよい。この場合、第２フィルタ４０は、４９５ｎｍ波長帯及び５９５波長帯以外の３つの波長帯を減衰させるフィルタの代わりに、２つ以下の波長帯を減衰させたり、４つ以上の波長帯を減衰させたりするフィルタであってもよい。第１フィルタ２０及び第２フィルタ４０の組み合わせにより、環境光の各波長帯の光成分が減衰され、色再現性が向上すればよい。
【０１１５】
上記実施形態では、例えば光制御システム５の第１構成例における室内３Ａは、窓３１から入射する外光以外に光が入り込まない空間でよい。つまり、光に関して閉じられた空間である室内３Ａに、光制御システム５が配置されてよい。この場合、４９５ｎｍの波長帯及び５９５ｎｍの波長帯の光成分を有する環境光Ｌ２以外に液晶ディスプレイ１０側に光が到達しないので、光制御システム５は、第１フィルタ２０により環境光Ｌ２を高精度に除去でき、色再現性を一層向上できる。
【０１１６】
以上、図面を参照しながら各種の実施の形態について説明したが、本発明はかかる例に限定されないことは言うまでもない。当業者であれば、特許請求の範囲に記載された範疇内において、各種の変更例又は修正例に想到し得ることは明らかであり、それらについても当然に本発明の技術的範囲に属するものと了解される。また、発明の趣旨を逸脱しない範囲において、上記実施の形態における各構成要素を任意に組み合わせてもよい。
【０１１７】
なお、本出願は、２０１８年２月５日出願の日本特許出願（特願２０１８−０１８６６０）に基づくものであり、その内容は本出願の中に参照として援用される。
【産業上の利用可能性】
【０１１８】
本発明は、環境光の反射により表示装置の表示品位が低下することを抑制できる光制御システム等に有用である。
【符号の説明】
【０１１９】
３  家屋
３Ａ  室内
５  光制御システム
７  視認者
１０  液晶ディスプレイ
１１  液晶表示パネル
１２Ａ，１２Ｂ  偏光板
１３Ａ，１３Ｂ  ガラス基板
１４  ＴＦＴ基板
１５Ａ，１５Ｂ  ＩＴＯ透明電極
１６  カラーフィルタ
１７  液晶セル
１８  バックライト
２０  第１フィルタ
３０  環境光提供部
３１  窓
３５，３５Ａ  照明器具
３５ｚ  光拡散カバー
４０  第２フィルタ
１００  試験用の光制御システム
１０１  光源
１０５  低反射層
１０８  色素なし粘着剤
１３０  反射板
ｇ１，ｇ２，ｓｐ１，ｓｐ２  グラフ
Ｌ１  外光
Ｌ２，Ｌ３，Ｌ４  環境光
Ｒｆ  反射部
【図１】
2019151458.tif 000004
【図２】
2019151458.tif 000005
【図３】
2019151458.tif 000006
【図４】
2019151458.tif 000007
【図５】
2019151458.tif 000008
【図６】
2019151458.tif 000009
【図７】
2019151458.tif 000010
【国際調査報告】
2019151458.tif 000011
2019151458.tif 000012
2019151458.tif 000013
2019151458.tif 000014